(57)【要約】       【課題】 常時保育の中で着用されている作業着であって、天災などの緊急時に速やかに乳児を作業着の収納部に収容して、安全に避難、運搬できる収納部付の保育用作業着を提供することを目的とする。      【解決手段】 エプロン状の作業着であって、胸当て部１に内布３を取り付け、この内布３と胸当て部１を構成する外布との間に、乳児を収容する前開きの開口をもった収納部が設けられ、この収納部に設けたファスナー１０を開らくことで収納部に乳児を収納して避難、運搬することを特徴とする。【選択図】  図４
2011017112.tif 000002
【特許請求の範囲】
【請求項１】
保育園などで着用する作業着であって、この作業着の胸当て部分に内布を取り付け、この内布と作業着である外布との間に乳児を収容する上部開口の収納部を設け、前記外布には上部開口部から下方に向かって所定長のファスナーを設け、地震や火災等の緊急時には前記ファスナーを開放して前記収納部の上部開口を拡張し、乳児をこの拡張部分から前記収納部内に収容するようにしたことを特徴とする保育用作業着。
【請求項２】
前記収納部の下部には、この収納部内に収容した乳児の足を収納部外に逃がす穴を左右一対設けたことを特徴とする請求項１記載の保育用作業着。
【請求項３】
前記保育用作業着の着用者の首に掛ける保持ベルトの両端部を前記収納部の上部に取り付け、さらに前記保持ベルトをＸ状に延長して前記外布に取り付けたことを特徴とする請求項１または２記載の保育用作業着。
【発明の詳細な説明】
【技術分野】
【０００１】
本発明は、保育所などにおいて、地震や火災等の天災時や緊急時に、乳児を速やかに且
つ安全に避難運搬する機能を備えた保育用作業着に関する。
【背景技術】
【０００２】
乳児用保育室は、家庭的な静かな中で生活させるという環境面と自ら外へ出ていかない、
あるいは外部からの侵入を防ぐといった安全面の配慮から、屋内の奥や階上に設けられている所が多い。したがって多くの乳児用保育室は、避難する場所までかなりの距離があるのが現実である。
【０００３】
従来、乳児を保育室から避難させる際、保育士はおんぶや抱っこをする用具を保管場所
から取り出して装着したり、手をつなぐなどして避難場所まで移動している。
しかしながら実際に緊急事態が発生した時、おんぶなどする用具を保管場所から取り出して装着するような時間に余裕がないため、保育士は避難用具を使わずに手で抱えて避難させるのが実情である。従って一度に運べる子供の人数が限られる。
【０００４】
以上のことから歩けないか、よちよち歩きの乳児をおんぶや抱っこする用具に代わって
素早く簡単に使え、安全に運べる避難用具が求められている。
【先行技術文献】
【特許文献】
【０００５】
【特許文献１】特開２００６−３０７３６２号公報
【特許文献２】実開平０７−３３１２４号公報
【発明の概要】
【発明が解決しようとする課題】
【０００６】
上述の如く従来の方法では乳児を速やかに避難させることが難しかった。本発明はこの
ような点に鑑みてなされたものであり、その目的は常時着用している作業着に乳児を入れる収納部を設け、緊急時に速やかに且つ安全に運搬するようにしたことである。
【課題を解決するための手段】
【０００７】
上述の目的を達成するため本発明は、保育時に常時着用している作業着に乳児を入れる収納部を設けたものであり、具体的には作業着の胸当て部分に内布を取り付け、この内布と作業着である外布との間に乳児を収容する上部開口の収納部を設け、前記外布には上部開口部から下方に向かって所定長のファスナーを設け、地震や火災等の緊急時には前記ファスナーを開放して前記収納部の上部開口を拡張し、乳児をこの拡張部分から前記収納部内に収容するようにしたことを特徴とする。また収納部内に保持ベルトと収納下部に収容した乳児の足を収納部外に逃がす穴を設けた。
【０００８】
また本発明は、作業着の着用者の首に掛ける保持ベルトの両端部を前記収納部の上部に
取り付け、さらに前記保持ベルトをＸ状に延長して外布に取り付けたことを特徴とする。
そして、天災などの緊急事態が発生し避難する時、作業着のファスナーを開放して保育士側に顔を向ける対面抱っこで乳児を収納部内に収容し、収納部の下部に設けられた左右の足通し穴から足を収納部外に逃がし、その後ファスナーを閉めて避難場所まで運搬する。
【発明の効果】
【０００９】
緊急事態が発生したとき、いかに短時間で乳児を運び出すかが問われているが、本発明
であれば常時着用している作業着に乳児を運搬できる機能を持たせたので、短時間で乳児を避難場所まで運ぶことができ最悪の事態を防ぐことができる。
【００１０】
すなわち本発明によれば、緊急事態が発生し避難する時、おんぶや抱っこをする用具を
保管場所まで取りに行く必要がなく、常時着用している作業着のファスナーを開閉して収納部に収容する方法なので速やかに避難運搬ができる。また一人で運搬ができるし、熟練の必要もないので、新人でも避難運搬が可能であり実用性に優れている。
【００１１】
また収納部の下部に設けられた左右の穴から足を入れて逃がし、保持ベルトで体を支えることで乳児を安定して収容することができる。さらに保持ベルトをＸ状に延長して外布に取り付けているので、このＸ状部分が収納部を補強することになり、乳児をしっかりと収容でき安全に運搬ができる。
【００１２】
さらに対面抱っこすることで、保育士は子供の様子が確認でき、子供も安心できる。
【図面の簡単な説明】
【００１３】
【図１】本発明保育用作業着を広げた時の正面図である。
【図２】本発明保育用作業着を広げた時の背面図である。
【図３】本発明保育用作業着を装着したときの正面姿である。
【図４】本発明保育用作業着の収納部分を展開した斜視図である。
【図５】本発明保育用作業着を装着し、乳児を収容している使用状態図である。
【発明を実施するための形態】
【００１４】
以下、本発明収納部付作業着の実施形態例を図面に基づき詳細に説明する。
本発明はエプロン状の作業着で、胸当て部１と前掛け部２を縫い付けて構成され、素材は丈夫で洗える綿やポリエステルで作られている。図１は広げた時の正面、図２は背面を表し、胸当て部（外布）１に内布３を取り付けて収納部４を形成する。この収納部４の上部は開口５されている。
【００１５】
収納部４は乳児を入れるのに適当なふくらみをもたせるため胸当て部１の上下端にダー
ツを入れる。胸当て部１より内布３の方が若干幅を短くし、胸当て部１正面から内布３が見えないようにする。また胸当て部１の丈は内布３の丈より適度に長くして、たるみをもたせている。このたるみに対面抱っこで収容した乳児の臀部が収まる。また内布３の上端部と左右の足通し穴６部分には伸縮部材が入り体型に合わせて伸縮する余裕を持たせている。
【００１６】
また胸当て部（外布）１の上端部よりも内布３の上端部を短くして段差を設けて、この
部分を開口部５にしている。（図２参照）                                          
乳児を収納部４に収容するとき、内布３はその上端部すなわち収納部４の開口部５から腕を出し、脇回りまでを収容するため首をしめない。また胸当て部１の上端部は内布３より乳児の頭程度丈が長いので、胸当て部１すなわち外布で体全体を保護することができる（図５参照）。
【００１７】
図２に示すように内布３には足を収納部外に逃がすため左右に足通し穴６を一対設けている。これは収容した乳児の体を安定させるためである。
【００１８】
図４に示すように、保持ベルト７は胸当て部１の裏面にＸ状に交差して縫い付け、中央
を胸当て部１の上端部から出し、首に掛ける輪にする。長さは調整できるよう長さ調整具８を設け、首が当たる部分には運搬時に保育士の首が痛くないように首を守るカバー９を取り付ける。このカバー９は着脱自在な固定具で取り付けて、取り外しを容易にしている。
【００１９】
図４に示すように、ファスナー１０は胸当て部１の上端部から下方に向かって設け、保持ベルト７の交差したところまでつける。
【００２０】
図１、図２に示すように前掛け２の左右上端部は腰紐１１が縫い付けられ、図３に示す
ように後ろを交差して前で結ぶ。
【００２１】
次に本発明の作業着の使用方法を説明する。通常図３に示すように作業着として着用し
ている。天災などの緊急事態が発生し避難する際は、図５に示すように、ファスナー１０を開放して収納部４を拡張し、この拡張部分から対面抱っこ状態で収納部４内に乳児を収容し、収納下部の左右の足通し穴６に足を入れてファスナー１０を閉め乳児を避難場所まで運搬する。
【００２２】
以上、本発明の形態や使用方法について説明したが、本発明はこれに限定されるのでなく例えば腰紐１１はワンタッチで着脱可能なベルトにしても良い。
【００２３】
またエプロンの形状もこれに限定されるものでなく、例えば略四角形の前身ごろ、後身
ごろで構成され両袖や襟元を備えた作業着でもよく、また常時は保持ベルトを収納部内に収めておくような形態の作業着でもよい。さらに、収納部の開口部を前記同様の着脱自在な固定具やスナップボタンで軽く止めておいてもよい。
【００２４】
そのほかエプロンの材質、保持ベルト７の具体的構成、形状、配設位置、内布３の形状の形状や配設位置も本発明に限定しないで適宜自由に設定できるものである。内布は通気性がよく、軽くて適度に伸縮するメッシュ地にしてもよい。
【符号の説明】
【００２５】
１      胸当て部（外布）
２      前掛け部
３      内布
４      収納部
５      開口部
６      左右足通し穴
７      保持ベルト
８      長さ調整具
９    首を守るカバー
１０    ファスナー
１１    腰紐
【図１】
2011017112.tif 000003
【図２】
2011017112.tif 000004
【図３】
2011017112.tif 000005
【図４】
2011017112.tif 000006
【図５】
2011017112.tif 000007